【手続補正書】
【提出日】平成19年1月30日(2007.1.30)
【手続補正１】
【補正対象書類名】明細書
【補正対象項目名】特許請求の範囲
【補正方法】変更
【補正の内容】
【特許請求の範囲】
【請求項１】  一対のガラスまたはプラスチック・プレートまたはプラスチック・フィルムからなる、但しその少くとも１つのプレートまたはフィルム、好ましくは両方のプレートまたはフィルムがそれぞれの場合１つの面に電気伝導性コーティングが付与され、その１つのプレートまたはフィルム及び伝導性コーティングが透明であり、その他のプレートまたはフィルムが鏡になっていてもよく、そしてその２つのプレートまたはフィルムの少くとも１つの場合電気伝導性層が別々の、独立した接点の領域部分に分割されていてよく、なおプレートまたはフィルムがその伝導性コーティングの面で、シーリング・リングを介して一緒に接合され且つこの２つのプレートまたはフィルム及びシーリング・リングで形成される空間にはエレクトロクロミック媒体が充填されている、エレクトロクロミック・デバイスにおいて、２つのプレートまたはフィルムの少くとも１つが少くとも１つのＵＶ吸収剤及びナノ粒子を含んでなるコーティングを有する、該エレクトロクロミック・デバイス。
【手続補正２】
【補正対象書類名】明細書
【補正対象項目名】０１３０
【補正方法】変更
【補正の内容】
【０１３０】
上述したタイプ１及び２の特別な具体例は、例えば次の通りであってよく、これもそれらがナノ粒子及びＵＶ吸収剤を含んでなる保護相によりＵＶ光に対して保護されているならば本発明の主題である。
タイプ１：（鏡なし）
光保護／光フィルターの分野から：建物、乗用者、飛行機、鉄道、船舶用の窓ガラス、屋根ガラス、自動車のサンルーフ、温室及び保護材のガラス、所望の種類の光フィルター。
安全／防犯の分野から：部屋の仕切り、例えば事務所、自動車、航空機、鉄道用の仕切りスクリーン、例えば銀行の窓口の視覚保護スクリーン、ドアガラス、二輪車またはヘルメットのバイザ−。
デザインの分野から：オーブン、電子レンジ、他の家庭用品、家具のガラス。
表示の分野から：アナログ式電圧表示、蓄電池テスター、タンクの表示、温度表示。
タイプ１：（鏡付き）
すべての種類、例えば自動車、鉄道用の、特に平面、球面及び非球面の及びこれらの組み合わせの鏡、例えば球面／非球面の家具用鏡ガラス。
タイプ２：
すべての種類の表示、例えば例えば時計、コンピューター、電気装置、電子装置、例えばラジオ、アンプ、テレビ、ＣＤプレーヤー用の部分または全体の表示、バス及び鉄道の目的地表示、駅及び空港の出発表示、平らなスクリーン、タイプ１及び２で言及した、少くとも１つのスイッチのついた静的なまたは可変の表示を含むすべての用途、例えば「静粛に」、「締切り」のような表示付きの仕切りスクリーン、所望の種類の表示、例えば温度、自動車の欠陥表示、例えばオイルの温度、ドアの開き、時間、走行方向の表示を含む鏡。
本発明の好適な実施態様は次のとおりである。
１．  一対のガラスまたはプラスチック・プレートまたはプラスチック・フィルムからなる、但しその少くとも１つのプレートまたはフィルム、好ましくは両方のプレートまたはフィルムがそれぞれの場合１つの面に電気伝導性コーティングが付与され、その１つのプレートまたはフィルム及び伝導性コーティングが透明であり、その他のプレートまたはフィルムが鏡になっていてもよく、そしてその２つのプレートまたはフィルムの少くとも１つの場合電気伝導性層が別々の、独立した接点の領域部分に分割されていてよく、なおプレートまたはフィルムがその伝導性コーティングの面で、シーリング・リングを介して一緒に接合され且つこの２つのプレートまたはフィルム及びシーリング・リングで形成される空間にはエレクトロクロミック媒体が充填されている、エレクトロクロミック・デバイスにおいて、２つのプレートまたはフィルムの少くとも１つが少くとも１つのＵＶ吸収剤及びナノ粒子を含んでなるコーティングを有する、該エレクトロクロミック・デバイス。
２．  コ−ティングが有機ＵＶ吸収剤を含んでなる、上記１のエレクトロクロミック・デバイス。
３．  コ−ティングが有機ＵＶ吸収剤及び無機ナノ粒子を含んでなる、上記１または２に記載されたエレクトロクロミック・デバイス。
４．  ナノ粒子の吸収端がＵＶ吸収剤の長波長吸収端より短い波長である、上記１−３のいずれかに記載されたエレクトロクロミック・デバイス。
５．  表示デバイスである、上記１−４のいずれかに記載されたエレクトロクロミック・デバイス。
６．  鏡である、上記１−４のいずれかに記載されたエレクトロクロミック・デバイス。
７．  窓である、上記１−４のいずれかに記載されたエレクトロクロミック・デバイス。
８．  コーティングが有機ポリマーからなる、上記１−７のいずれかに記載されたエレクトロクロミック・デバイス。
９．  エレクトロクロミック媒体が少くとも１対のレドックス物質を含んでなり、その１つが還元性であり且つ他が酸化性であり、両方が無色または弱くしか着色しておらず、そしてエレクトロクロミック・デバイスへ電圧を印加した後第１の物質が還元され且つ他が酸化され、少くとも１つが着色し、また電圧をきった後２つの元のレドックス物質が再生されてエレクトロクロミック・デバイスが脱色する、上記１−８のいずれかに記載されたエレクトロクロミック・デバイス。
１０．  ａ）還元しうる物質がサイクリック・ボルタモグラムにおいて少くとも１つの、好ましくは少くとも２つの化学的可逆性の還元波を有し且つ酸化しうる物質がサイクリック・ボルタモグラムにおいて少くとも１つの、好ましくは少くとも２つの化学的可逆性の酸化波を有し、或いは
ｂ）還元しうる物質と酸化しうる物質とは互いに橋架けＢを介して共有結合しており、或いは
ｃ）選択される還元しうる及び／または酸化しうる物質は、酸化形と還元形の間のまたはその逆の可逆的遷移がσ結合の切断または形成と関連し、或いは
ｄ）還元しうる物質及び／または酸化しうる物質は少くとも２つの酸化状態で存在する金属の金属塩または金属錯体であり、或いは
ｅ）還元しうる及び／または酸化しうる物質は、該レドックス系の少くとも１つを含むが、ａ）−ｄ）で定義したようなレドックス系の対も含むオリゴマ−及びポリマ−であり、或いは
ｆ）用いる還元しうる及び／または酸化しうる物質は、その混合物が少くとも１つの還元しうる及び少くとも１つの酸化しうるレドックス系を含むならば、ａ）−ｅ）で記述した物質の混合物である、
上記９のエレクトロクロミック・デバイス。
１１．  用いる有機ＵＶ吸収剤が式
【化１】
2002536703.tif 000001
［式中、Ｒ101 は随時置換されたＣ1 −Ｃ20アルキルであり、
Ｒ102 は水素、シアノまたはＣＯＯＲ1 であり、
Ｒ103 、Ｒ104 及びＲ106 は互いに独立に水素、Ｃ1 −Ｃ12アルキルまたはＣ1 −Ｃ
12アルコキシであり、
Ｒ105 は水素、Ｃ1 −Ｃ12アルキル、Ｃ1 −Ｃ12アルコキシまたはヒドロキシルであ
り、
Ｒ107 は水素またはＣ1 −Ｃ12アルキルであり、
Ｒ108 は水素であり、或いは
Ｒ107 はＲ108 と一緒になって３つまでのＣ1 −Ｃ4 アルキル基を有していてもよい
Ｃ2 またはＣ3 橋を形成し、そして
ｎ及びｍは互いに独立に１−３の整数である］
の少くとも１つである、上記１−１０のいずれかに記載されたエレクトロクロ
ミック・デバイス。
１２．  無機ナノ粒子がＳｉＣ、ＡｌＳｉ、Ａｇ、Ｆｅ2Ｏ3 、Ｆｅ3Ｏ4、ＴｉＯ2、ＺｎＯ、ＧａＰ、ＣｅＯ2 、ＺｎＳ、ＳｎＯ2 、ＳｉyＧｅ1-y 、ＷxＭｏ1-xＯ3 、ＮｉＯ、Ｂｉ2Ｏ3 、Ｉｎ2Ｏ3、ＨｆＯ2 、ＢａＴｉＯ3、ＣａＴｉＯ3、Ｇｅ、ＡｌＰ、ＧａＮ、但し０．７≦ｙ≦１、０≦ｘ≦１、に基づくものである、上記１−９のいずれかに記載されたエレクトロクロミック・デバイス。